(57)【要約】【課題】薄型表示装置の発熱部を騒音を発生することなく、効率的に冷却する。【解決手段】発熱する表示パネルを有する薄型表示装置において、表示パネル部分に適間隔をおいて冷却液チューブ４を配置し、冷却液チューブ４の両端に液路１５を介して冷却液タンク１３を接続し、冷却液チューブ４と冷却液タンク１３を接続する液路１５の途中または冷却液タンク１３と液路１５の間に冷却液循環ポンプ１４を接続して、冷却液チューブ４内の冷却液を循環させて、表示パネルを冷却する。なお、表示パネルが反射板２と蛍光管３とからなるバックライトを有する場合は、蛍光管３に沿って反射板２の表面または／および裏面に冷却液チューブ４を配置する。【選択図】  図１
2005017413.tif 000002
【特許請求の範囲】
【請求項１】
発熱する表示パネル部分に冷却液を満たした冷却液チューブを配置して表示パネルの発熱を吸収および／または拡散することを特徴とする薄型表示装置。
【請求項２】
発熱する表示パネルを有する薄型表示装置において、
表示パネル部分に適間隔をおいて配置された冷却液チューブと、
該冷却液チューブの両端に液路を介して接続された冷却液タンクと、
前記冷却液チューブと前記冷却液タンクを接続する液路の途中または前記冷却液タンクと液路の間に設けられた冷却液循環ポンプと、
を備えたことを特徴とする薄型表示装置。
【請求項３】
請求項１または２に記載の薄型表示装置において、
前記表示パネルが反射板と蛍光管とからなるバックライトを有する場合は、前記蛍光管に沿って前記反射板の表面または／および裏面に前記冷却液チューブを配置したことを特徴とする薄型表示装置。
【請求項４】
請求項３に記載の薄型表示装置において、
前記反射板の表面に前記冷却液チューブを配置した場合は、前記冷却液チューブの表面に前記反射板と略同一反射率の反射塗料を塗布したことを特徴とする薄型表示装置。
【請求項５】
請求項１乃至４のいずれかに記載の薄型表示装置において、
薄型表示装置本体にスピーカを有する場合は、前記スピーカに近接して前記冷却液タンクを配置したことを特徴とする薄型表示装置。
【請求項６】
請求項１乃至５のいずれかに記載の薄型表示装置において、
薄型表示装置本体の下部がスタンドにより支持されている場合は、前記スタンド内に前記冷却液タンクを配置したことを特徴とする薄型表示装置。
【請求項７】
請求項６に記載の薄型表示装置において、
前記スタンドが中空構造である場合は、前記スタンドの表面部分に換気用の透孔を複数形成したことを特徴とする薄型表示装置。
【請求項８】
請求項６または７に記載の薄型表示装置において、
前記スタンドの表面部分に前記液路を配設して冷却液の放熱をすることを特徴とする薄型表示装置。
【請求項９】
請求項１乃至８のいずれかに記載の薄型表示装置において、
前記冷却液チューブまたは前記冷却液タンクまたは前記液路または前記冷却液循環ポンプの下方に吸湿除湿剤を配置したことを特徴とする薄型表示装置。
【請求項１０】
請求項１乃至９のいずれかに記載の薄型表示装置において、
前記冷却液として水を用いたことを特徴とする薄型表示装置。
【発明の詳細な説明】
【０００１】
【発明の属する技術分野】
本発明は、バックライトを有する液晶パネル、ＰＤＰ等の発熱する表示部を備えた薄型表示装置の冷却構造に関する。
【０００２】
【従来の技術】
近年、テレビやパーソナルコンピュータ用のモニタとして、液晶パネル、ＰＤＰ等を用いて、従来のＣＲＴよりも薄型のディスプレイが用いられるようになってきた。これらバックライトを有する液晶パネル、ＰＤＰ等の発熱する表示部を備えた薄型表示装置は、大型になる程、発熱量が多くなり、その発熱を排出するためにファンを設けることがあった。ファンを設けて、強制的に換気した場合、充分な排熱効果が得られるものの、風切り音による騒音が発生してしまい、新たに騒音対策が必要となった。そこで、騒音を発生しない排熱方法として、冷却水や冷媒液を用いて排熱する技術が提案されている（特許文献１および特許文献２）。特許文献１は、液晶表示装置の発熱部を冷却水により冷却する技術が開示されている。また、特許文献２は、ディスクトップ型コンピュータのＣＰＵの背面に冷却液を満たした受熱ヘッドを取り付け、その受熱ヘッドの直上に放熱用のチューブを配設しておき、ＣＰＵの発熱を受熱ヘッド内の冷媒液で吸収し、それを放熱用チューブの部分で外気に排出するようにしたものである。
【０００３】
【特許文献１】
特開平０３−５０４７８号公報
【特許文献２】
特開２００２−１８２７９６号公報
【０００４】
【発明が解決しようとする課題】
しかしながら、前者の特許文献１の液晶表示装置は、バックライト部分を効率的に冷却することができるものの、冷却に使用される冷却水は、別置きの冷却水発生装置から供給し、冷却に使用された冷却水はそのまま排出されてしまう構造である。そのため、水源や排水設備を備えた場所での使用を想定していない薄型表示装置の冷却装置には、そのまま適用することはできなかった。
また、後者の特許文献２のディスクトップ型コンピュータは、ＣＰＵのみの発熱を液晶パネルの裏面で放熱する構造であるため、液晶パネル自体で発生した熱を冷媒液を用いて排出することはできなかった。
そこで本発明は、液晶パネルのバックライト部分やＰＤＰ等の発熱部分を内部循環する冷却液により効率的に冷却することのできる薄型表示装置を提案することを目的とする。
【０００５】
【課題を解決するための手段】
上記課題を解決するために、本発明の薄型表示装置は、発熱する表示パネル部分に冷却液を満たした冷却液チューブを配置して表示パネルの発熱を吸収および／または拡散するようにしたものであり、詳しくは、発熱する表示パネルを有する薄型表示装置において、表示パネル部分に適間隔をおいて配置された冷却液チューブと、該冷却液チューブの両端に液路を介して接続された冷却液タンクと、前記冷却液チューブと前記冷却液タンクを接続する液路の途中または前記冷却液タンクと液路の間に設けられた冷却液循環ポンプとを備えたことを特徴とする。なお、前記表示パネルが反射板と蛍光管とからなるバックライトを有する場合は、前記蛍光管に沿って前記反射板の表面または／および裏面に前記冷却液チューブを配置する。また、前記反射板の表面に前記冷却液チューブを配置した場合は、前記冷却液チューブの表面に前記反射板と略同一反射率の反射塗料を塗布する。さらに、薄型表示装置本体にスピーカを有する場合は、前記スピーカに近接して前記冷却液タンクを配置する。また、薄型表示装置本体の下部がスタンドにより支持されている場合は、前記スタンド内に前記冷却液タンクを配置する。ここで、前記スタンドが中空構造である場合は、前記スタンドの表面部分に換気用の透孔を複数形成する。また、前記スタンドの表面部分に前記液路を配設して冷却液の放熱をすることも可能である。さらに、前記冷却液チューブまたは前記冷却液タンクまたは前記液路または前記冷却液循環ポンプの下方に吸湿除湿剤を配置することが好ましい。なお、前記冷却液として水を用いることも可能である。
【０００６】
【発明の実施の形態】
以下、図に基づいて本発明の実施形態を説明する。
図１は本発明を、液晶テレビ等の液晶パネルを有する薄型表示装置に適用した第１の実施形態を示す縦断面図である。
図において、１は液晶パネルであり、その背面に反射板２が配置され、その前方に光源である蛍光管３が水平方向に等間隔で配置されている。この蛍光管３の斜め上後方であって反射板２の略表面部分に冷却液チューブ４が蛍光管３と平行に配置されている。冷却液チューブ４の表面には、反射板２と略同一反射率の反射塗料が塗布されている。冷却液チューブ４内には水等の冷却液が充填され、蛍光管３等の発熱を吸収する。反射板２の裏面には基板５が取り付けられ、液晶パネル１の駆動回路等が形成されている。冷却液チューブ４の最下段の下方には、吸湿除湿剤６が配置され、冷却液チューブ４の表に結露が発生して滴が落下した場合にそれを吸収する。
【０００７】
これら各部は前面筐体７と背面筐体８の間に収納され、前面筐体７と背面筐体８の下端には、下部筐体９が垂設されその前面部にスピーカ１０が配置されている。背面筐体８は一体的に取り付けられたスタンド１１により支持されている。スタンド１１の基台部分１２は中空構造であり、その内部に冷却液を貯留する冷却液タンク１３と、その冷却液を冷却液チューブ４へ送り込み循環させるポンプ１４が設置されている。冷却液タンク１３とポンプ１４は、途中から図示を省略した液路１５により、スタンド１１の上部を介して冷却液チューブ４の両端に接続され、蛍光管３が点灯されている間、ポンプ１４が作動して冷却液が冷却液チューブ４、冷却液タンク１３を循環することにより、蛍光管３等の発熱を吸収して、液晶パネル１および基板５を所定温度以下に保持するようにしている。この第１の実施形態の特徴は、冷却液タンク１３をスタンド１１の下部に設けたことで、薄型表示装置の重心が低くなり安定性が向上したことである。
【０００８】
図２は本発明の第２の実施形態を示す縦断面図である。
図において、１は液晶パネルであり、その背面に反射板２が配置され、その前方に光源である蛍光管３が水平方向に等間隔で配置されている。この蛍光管３の斜め上後方であって反射板２の略表面部分に冷却液チューブ４が蛍光管３と平行に配置されている。冷却液チューブ４の表面には、反射板２と略同一反射率の反射塗料が塗布されている。冷却液チューブ４内には水等の冷却液が充填され、蛍光管３等の発熱を吸収する。反射板２の裏面には基板５が取り付けられ、液晶パネル１の駆動回路等が形成されている。冷却液チューブ４の最下段の下方には、吸湿除湿剤６が配置され、冷却液チューブ４の表に結露が発生して滴が落下した場合にそれを吸収する。
【０００９】
これら各部は前面筐体７と背面筐体８の間に収納され、前面筐体７と背面筐体８の下端には、下部筐体９が垂設されその前面部にスピーカ１０が配置されている。このスピーカ１０に近接して、冷却液を貯留する冷却液タンク１３が設置されている。背面筐体８は一体的に取り付けられたスタンド１１により支持されている。スタンド１１の基台部分１２は中空構造であり、その内部に冷却液を循環させるポンプ１４が設置されている。冷却液タンク１３とポンプ１４は、途中から図示を省略した液路１５により、冷却液チューブ４の両端に接続され、蛍光管３が点灯されている間、ポンプ１４が作動して冷却液が冷却液チューブ４、冷却液タンク１３を循環することにより、蛍光管３等の発熱を吸収して、液晶パネル１および基板５を所定温度以下に保持するようにしている。この第２の実施形態の特徴は、冷却液タンク１３をスピーカ１０に近接して配置したことで、びびり音の発生を抑えるようにしたことである。
【００１０】
図３は本発明の第３の実施形態を示す縦断面図である。
図において、１は液晶パネルであり、その背面に反射板２が配置され、その前方に光源である蛍光管３が水平方向に等間隔で配置されている。この蛍光管３の斜め上後方であって反射板２の略表面部分に冷却液チューブ４が蛍光管３と平行に配置されている。冷却液チューブ４の表面には、反射板２と略同一反射率の反射塗料が塗布されている。冷却液チューブ４内には水等の冷却液が充填され、蛍光管３等の発熱を吸収する。反射板２の裏面には基板５が取り付けられ、液晶パネル１の駆動回路等が形成されている。冷却液チューブ４の最下段の下方には、吸湿除湿剤６が配置され、冷却液チューブ４の表に結露が発生して滴が落下した場合にそれを吸収する。
【００１１】
これら各部は前面筐体７と背面筐体８の間に収納され、前面筐体７と背面筐体８の下端には、下部筐体９が垂設されその前面部にスピーカ１０が配置されている。背面筐体８は一体的に取り付けられたスタンド１１により支持されている。スタンド１１の基台部分１２の上部表面には、換気用の透孔１７が形成され、その下方に放熱用の管路１８が配設されている。この管路１８と冷却液チューブ４は、スタンド１１内の図示しない液路により接続され、その途中に冷却液タンクおよびポンプが配設されている。これらの構成により、蛍光管３が点灯されている間、ポンプが作動して冷却液が冷却液チューブ４、冷却液タンクおよび放熱用の管路１８を循環することにより、蛍光管３等の発熱を吸収して、液晶パネル１および基板５を所定温度以下に保持するようにしている。この第３の実施形態の特徴は、スタンド１１の基台部分１２の上部表面に換気用の透孔１７を形成して、内部の管路１８からの放熱量を増大させることにより冷却液を効率的に冷却するようにしたことである。
【００１２】
なお、上述の各実施形態は、冷却液チューブ４の下方に吸湿除湿剤６を配置していたが、冷却液タンク１３、ポンプ１４、液路１５、管路１８の下方に吸湿除湿剤６を配置しても良い。また、上述の各実施形態は、冷却液チューブ４を反射板２の表面側に配置しているが、反射板２の裏面側に配置したり、または表裏両面に配置することも可能である。さらに、冷却液チューブ４と冷却液タンク１３、ポンプ１４を結ぶ液路１５を、スタンド１１の表面に配設して、その部分で冷却液の放熱をはかることも可能である。
【００１３】
図４および図５は、上述の各実施形態における冷却液チューブ４と蛍光管３の相互の位置関係の他の例を示す図であり、図４はその正面図、図５はその斜視図である。図示例は、蛍光管３が直管である場合を示し、冷却液チューブ４は、各蛍光管３の直線部の上下を近接して往復に走り、それらが順に上下に接続されてから液路１５に接続され、冷却液の循環経路が形成され冷却液タンク１３とポンプ１４に接続されている。
【００１４】
同じく、図６および図７は、上述の各実施形態における冷却液チューブ４と蛍光管３の相互の位置関係の他の例を示す図であり、図６はその正面図、図７はその斜視図である。図示例は、蛍光管３がＵ字形に形成されている場合を示し、冷却液チューブ４は、各蛍光管３の上下部分をそれぞれ上下に近接して往復に走り、端部で蛍光管３の曲管部を立体的に交差し、それらが順に上下に接続されてから液路１５に接続されることにより冷却液の循環経路が形成され、冷却液タンク１３とポンプ１４に接続されている。図７中の１９は蛍光管３の電極ホルダである。なお、上述の実施形態は液晶パネルを有する薄型表示装置について説明したが、ＰＤＰを有する薄型表示装置についても同様に本発明を適用することが可能である。
【００１５】
【発明の効果】
以上述べたように本発明によれば、発熱する表示パネル部分に冷却液を満たした冷却液チューブを配置して表示パネルの発熱を吸収するようにしたことで、従来のファンによる冷却に比べ、冷却効率にすぐれるとともに騒音も解消される。また、薄型表示装置にスピーカを有する場合は、スピーカ部分に冷却液タンクを配置することでびびり音の発生を抑えることが可能となる。さらに、スタンドを備えた薄型表示装置の場合は、スタンド内に冷却液タンク配置することで重心が低くなり安定性が向上する。
【図面の簡単な説明】
【図１】本発明に係る薄型表示装置の第１の実施形態を示す縦断面図である。
【図２】本発明に係る薄型表示装置の第２の実施形態を示す縦断面図である。
【図３】本発明に係る薄型表示装置の第３の実施形態を示す縦断面図である。
【図４】冷却液チューブと蛍光管の相互の位置関係の他の例を示す正面図である。
【図５】図４の斜視図である。
【図６】冷却液チューブと蛍光管の相互の位置関係の他の例を示す正面図である。
【図７】図６の斜視図である。
【符号の説明】
１  液晶パネル
２  反射板
３  蛍光管
４  冷却液チューブ
５  基板
６  吸湿除湿剤
７  前面筐体
８  背面筐体
９  下部筐体
１０  スピーカ
１１  スタンド
１２  基台部分
１３  冷却液タンク
１４  ポンプ
１５  液路
１７  透孔
１８  管路
１９  電極ホルダ
【図１】
2005017413.tif 000003
【図２】
2005017413.tif 000004
【図３】
2005017413.tif 000005
【図４】
2005017413.tif 000006
【図５】
2005017413.tif 000007
【図６】
2005017413.tif 000008
【図７】
2005017413.tif 000009